(57)【要約】【課題】ノイズフィルタを構成するコモンモードコイルのコアを多段化したり、コア断面積を大きくしたり、飽和磁束密度のより高いコアを使用したりしなくてもコモンモードコイルのコアの飽和を防止でき、大きなノイズ減衰率が実現できるインバータ装置用ノイズフィルタを提供する。【解決手段】ノイズフィルタの共振周波数ｆｒがインバータ装置のキャリア周波数ｆｃの近傍にあると前記ノイズフィルタに入力されるノイズ電流が共振により増幅されることにより、前記ノイズフィルタを構成しているコモンモードコイルのコアが磁気飽和するノイズ電流を発生するインバータ装置に用いられるものにおいて、前記コモンモードコイルの巻線数を増やすことにより前記ノイズフィルタの共振周波数が前記インバータ装置のキャリア周波数より低周波側に位置するように構成した。【選択図】　　　　図２
2004032938.tif 000002
【特許請求の範囲】
【請求項１】
インバータ装置と系統電源との間に設置されるインバータ装置用ノイズフィルタであって、前記ノイズフィルタの共振周波数が前記インバータ装置のキャリア周波数の近傍にあると前記ノイズフィルタに入力されるノイズ電流が共振により増幅されることにより、前記ノイズフィルタを構成しているコモンモードコイルのコアが磁気飽和するノイズ電流を発生するインバータ装置に用いられるものにおいて、前記コモンモードコイルの巻線数を増やすことにより前記ノイズフィルタの共振周波数が前記インバータ装置のキャリア周波数より低周波側に位置するように構成したことを特徴とするインバータ装置用ノイズフィルタ。
【請求項２】
前記コモンモードコイルのコアが磁気飽和した状態におけるノイズフィルタの共振周波数をｆｒ、コモンモードコイルのインダクタンスをＬ、ノイズフィルタを構成する対地間コンデンサの容量をＣとしたとき、コモンモードコイルの巻線数Ｎを１／（４π２ｆｒ２ＬＣ）倍以上に増やすことを特徴とする請求項１記載のインバータ装置用ノイズフィルタ。
【請求項３】
コモンモードコイルのコア断面積をＳ、コモンモードコイルの巻線数をＮ、コモンモードコイルのインダクタンスをＬとしたとき、ノイズフィルタの出力ノイズ電流が０．２×（ＳＮ／Ｌ）以上の領域で、コモンモードコイルのコアとしてフェライト系材料からなるコアを使用したことを特徴とする請求項１または２記載のインバータ装置用ノイズフィルタ。
【発明の詳細な説明】
【０００１】
【発明の属する技術分野】
本発明は、インバータと系統電源との間にノイズフィルタを備えたインバータ装置に関し、特にノイズフィルタを構成しているコモンモードコイルのコアの飽和防止に関するものである。
【０００２】
【従来の技術】
インバータ装置のノイズフィルタ設計は１５０ｋＨｚ以上の周波数を考慮し行なわれる。すなわち、インバータ装置に関する国際ＥＭＩ規格では、１５０ｋＨｚから３０ＭＨｚまでの帯域で伝導性ノイズ量が規制されていることが多く、この帯域内でノイズフィルタの減衰率を設計する。つまり、一般のノイズフィルタはローパス（低周波では減衰しない）構造を持っているが、減衰が始まる周波数（ノイズフィルタの共振周波数）はあまり気にせず、１５０ｋＨｚでの減衰値のみに注目し、設計を行なうのが普通である。
【０００３】
インバータ装置から発生するノイズ量が大きい場合、１５０ｋＨｚ以上での減衰率を大きくするために、共振周波数がキャリア周波数付近にくることがあるが、この時、減衰率を大きくしようとしたにも関わらず、思ったような効果が得られない時がある。これはノイズフィルタを構成しているインダクタとしてのコモンモードコイルのコアが磁気飽和しているためであり、このような場合、上記コアの磁気飽和を回避する方策として、今までは「コアの巻き数を減らし、１つのインダクタのインダクタンスを低減すると共に、インダクタの多段化すなわちコアを多段化する」、「コア断面積を大きくする」、「飽和磁束密度の小さいフェライトコアをアモルファスコアに切り替える」などの対策を行なってきた。
【０００４】
また、例えば、特開平９−８４３５７号公報に示されているように、インバータ装置のキャリア周波数の影響は、交流電動機の対地間浮遊容量を介して流れる漏洩電流の方に向けられており、ノイズフィルタの方には向けられていなかった。
【０００５】
【発明が解決しようとする課題】
従来のインバータ装置用ノイズフィルタは、上記のようにコモンモードコイルのコアの飽和を避けるために、コモンモードコイルのコアを多段化したり、コア断面積を大きくしたり、高飽和磁束密度の非晶質系材料からなるコアを使用したりしており、インダクタが大型化したり、コアの材料費が高価となったりするといった問題があった。
【０００６】
本発明は、上記のような従来のものの問題点を解決するためになされたものであり、ノイズフィルタを構成するコモンモードコイルのコアを多段化したり、コア断面積を大きくしたり、飽和磁束密度のより高いコアを使用したりしなくてもコモンモードコイルのコアの磁気飽和を防止でき、大きなノイズ減衰率が実現できるインバータ装置用ノイズフィルタを提供することを目的とするものである。
【０００７】
【課題を解決するための手段】
本発明に係るインバータ装置用ノイズフィルタは、インバータ装置と系統電源との間に設置されるインバータ装置用ノイズフィルタであって、前記ノイズフィルタの共振周波数が前記インバータ装置のキャリア周波数の近傍にあると前記ノイズフィルタに入力されるノイズ電流が共振により増幅されることにより、前記ノイズフィルタを構成しているコモンモードコイルのコアが磁気飽和するノイズ電流を発生するインバータ装置に用いられるものにおいて、前記コモンモードコイルの巻線数を増やすことにより前記ノイズフィルタの共振周波数が前記インバータ装置のキャリア周波数より低周波側に位置するように構成したものである。
【０００８】
また、前記コモンモードコイルのコアが磁気飽和した状態におけるノイズフィルタの共振周波数をｆｒ、コモンモードコイルのインダクタンスをＬ、ノイズフィルタを構成する対地間コンデンサの容量をＣとしたとき、コモンモードコイルの巻線数Ｎを１／（４π２ｆｒ２ＬＣ）倍以上に増やすものである。
【０００９】
また、コモンモードコイルのコア断面積をＳ、コモンモードコイルの巻線数をＮ、コモンモードコイルのインダクタンスをＬとしたとき、ノイズフィルタの出力ノイズ電流が０．２×（ＳＮ／Ｌ）以上の領域で、コモンモードコイルのコアとしてフェライト系材料からなるコアを使用したものである。
【００１０】
【発明の実施の形態】
実施の形態１．
図１および図２は本発明の実施の形態１によるインバータ装置用ノイズフィルタを説明するための図であり、より具体的には、図１はインバータ装置にノイズフィルタを適用したときの回路図、図２はノイズフィルタのノイズ減衰率の周波数特性とインバータ装置のキャリア周波数との関係を示す特性図である。図１において、１は系統電源、２はノイズフィルタ。３はノイズフィルタ２を構成するインダクタとしてのコモンモードコイルであり、コアと巻線から成る。４は相間コンデンサ、５は対地間コンデンサ、６はインバータ装置、７は交流電動機、８は交流電動機７の対地間浮遊容量である。インバータ装置６と系統電源１との間にノイズフィルタ２を備えている。
【００１１】
図２において、ｆｒ（ノイズフィルタのノイズ減衰率が山状に盛り上がっている所）はノイズフィルタの共振周波数、ｆｃはインバータのキャリア周波数である。縦軸のノイズ減衰率は対数で表示されており、０を境に図２の上方が正、下方が負となっている。図２の下方に行く程ノイズフィルタの減衰率が大きいと表現する。
本実施の形態では、図２に示すように、ノイズフィルタの共振周波数ｆｒがインバータ装置のキャリア周波数ｆｃより低周波側に位置している。
【００１２】
図１のように構成されたものにおいて、インバータ装置６から発生した伝導性ノイズは、ノイズフィルタ２により減衰され、系統電源１側にはＥＭＩ規格以下の量しか発生しない。インバータ装置に関する国際ＥＭＩ規格では、１５０ｋＨｚから３０ＭＨｚまでの帯域（通常、図２のインバータ装置６のキャリア周波数ｆｃよりはるかに高周波域）で上記の伝導性ノイズ量が規制されていることが多く、ノイズフィルタ２のノイズ減衰率はこの帯域内で設計される。
【００１３】
ノイズフィルタ２のノイズ減衰率は図２のような周波数特性を持ち、共振周波数ｆｒでは特性が山状に盛り上がる。このことは系統電源１側に漏れるノイズ電流が、共振周波数ｆｒでは増幅され、多く流れるということを意味している。コモンモードコイル３のコアに発生する磁束密度Ｂは、式（１）で表される。
Ｂ＝ＬＩ／（ＳＮ）　　　（１）
ここで、Ｌはコモンモードコイル３のインダクタンス、Ｉはコモンモードコイル３に流れるノイズ電流、Ｓはコモンモードコイル３のコア断面積、Ｎはコモンモードコイル３の巻線数（巻線の巻数）である。
一方、インバータ装置６はキャリア周波数ｆｃ、またはその高調波毎に大きなノイズ電流を発生する。
したがって、インバータ装置６のキャリア周波数ｆｃが、ノイズフィルタ２の共振周波数ｆｒと重なる（ｆｃ＝ｆｒ）と、あるいは重ならなくてもノイズフィルタ２の共振周波数ｆｒの近傍（図２のｆ１〜ｆ２の範囲、ｆ１、ｆ２については後述する。）にある（ｆ１≦ｆｃ≦ｆ２）と、ノイズフィルタ２に入力されるノイズ電流が共振により増幅されることにより大きな電流が流れ、コモンモードコイル３のコアに大きな磁束が発生し、コモンモードコイル３のコアが飽和することがある。
【００１４】
このように、コアが磁気飽和するときの従来の対応策は既に述べたとおりである。コイル巻線数について言えば、これを減らすという考え方が支配的であり、増やすという考え方はなかった。この巻線数を減らすという考え方の背景は以下に説明する通りである。
すなわち、コイル巻線数Ｎをｎ１／２倍にしたとすると、Ｌ→ｎ・Ｌ、Ｎ→ｎ１／２・Ｎとなることから（１）式は次の様になる。
Ｂ＝ｎ１／２ＬＩ／（ＳＮ）　　　（１）’
ｎを１よりも大きくする、すなわち、コイル巻線数を増やせば、（１）’式より、一見、当然にコア中の磁束密度Ｂはｎ１／２倍増加し、飽和という点から悪化する方向に行く様に思われることから、従来は、ｎを１より小さくする、すなわち、コイル巻線数を減らすことにより、コア中の磁束密度Ｂを低減し、コアの飽和を改善していた。
【００１５】
ここで、ノイズフィルタの共振周波数ｆｒは次の式で表される。
ｆｒ＝１／（２π・（ＬＣ）１／２）　　　　（２）
したがって、コイル巻線数をｎ１／２倍にすると、ｆｒは１／ｎ１／２になる。
すなわち、巻線数を低減（ｎ＜１）すると、ｆｒは高周波側にシフトすることになる。図２において１５０ＫＨｚから３０ＭＨｚの位置は、ｆｃに対し高周波側に来ることになるため、ｆｒが高周波側にシフトするということは、インバータ装置に関する国際ＥＭＩ規格による１５０ｋＨｚから３０ＭＨｚまでの帯域におけるノイズフィルタのノイズ減衰率が劣化することを意味する。これを避けるには、（２）式よりＬの値を最初の値と同じかそれ以上の値に設定する必要が生じる。
従来の技術の項で述べたコモンモードコイルの多段化は、こうすることにより、巻き線数の低減によるＬの減少を補い、１５０ｋＨｚから３０ＭＨｚまでの帯域におけるノイズフィルタのノイズ減衰率の劣化を防止することを狙ったものである。
【００１６】
しかし、この実施の形態で述べる発明は、コアの飽和が問題となる場合に、従来、避けるべき手法と考えられていた「コイル巻線数の増加」により、コアの飽和を改善するものである。
コイル巻線数Ｎを大きくする（ｎ＞１）と、（２）式より、ｆｒは低周波側にシフトすることになる。ｆｒをキャリア周波数ｆｃよりも低周波側にシフトすると、従来の方法であるコイル巻線数Ｎを低減（ｎ＜１）する場合よりもノイズ減衰率がより改善される方向に行くことは図２より容易に理解することができる。１５０Ｈｚから３０ＭＨｚまでの帯域においても同様である。
【００１７】
ここで、巻線数を増やすことについての障害と考えられていた、コアの磁気飽和について考察する。式（１）’において、「Ｉ」はコモンモードコイル３に流れるノイズ電流であることに留意する必要がある。すなわち、この「Ｉ」はノイズフィルタ２の出力としてのノイズ電流であるということである。ということは、ノイズフィルタ２への入力ノイズ電流値が同じでも、巻線数Ｎを大きくして共振周波数ｆｒを低周波側にシフトすることにより、ノイズフィルタ２の出力としてのノイズ電流値、すなわち「Ｉ」はシフトの程度によっては減少することになる。巻線数Ｎ（すなわち倍率ｎ１／２）が増加することによりＬがｎ倍に増加することによるＢの増加（式（２）参照。）を補う以上にノイズ電流値「Ｉ」を低減させることができれば、コアの飽和の問題は解消されることになる。
【００１８】
フィルタを構成するＬ（これを実現する上記Ｎ、Ｓ）、およびＣの内、Ｓ、Ｃは通常ある一定範囲の値が使用される。したがって、今Ｎのみを変化させるとして、計測で得られるフィルタの入力ノイズ電流値と、この系のノイズ（及びその減衰率特性）を計測するための計測装置の入力インピーダンスＲ（通常５０Ωで一定。）から、式（１）のＢがＢｓに等しくなるＮの値は容易に求めることができる。
以下では、このような意味で、式（１）により算定した磁束密度Ｂがコアの飽和磁束密度Ｂｓと等しくなった場合、すなわち、そのときの上記の意味で設定したコイル巻線数Ｎを出発点として、コイル巻線数をどの程度増やせばコアの磁気飽和を解消できるかという点について考察する。
【００１９】
尚、このことは、図２との絡みで言えば、上記出発点となるノイズフィルタ２のノイズ減衰率特性を固定して考え、実測したノイズフィルタ２への入力ノイズ電流値から、式（１）により飽和磁束密度Ｂｓと等しくなる磁束密度を生じるときのノイズ減衰率の値が求められるが、この減衰率に対応する周波数値が前述したｆ１、ｆ２（ｆ１≦ｆ２）に対応する。
いま、キャリア周波数ｆｃがｆ１に一致していた場合は、共振周波数ｆｒを、わずかに高い周波数にシフトするか、それともｆ２−ｆ１に相当する分低い周波数にシフトすれば良い。また、キャリア周波数ｆｃがｆ２に一致していた場合は、共振周波数ｆｒを、わずかに低い周波数にシフトするか、それともｆ２−ｆ１に相当する分高い周波数にシフトすれば良い。
【００２０】
なお、上記のように、ｆ１≦ｆｃ≦ｆ２でコモンモードコイル３のコアが磁気飽和している場合に、ノイズフィルタ２の共振周波数ｆｒをより高周波側（図２の右側）に移動させてｆｃ＜ｆ１とすることにより上記磁気飽和を回避することも考えられるが、この場合には、フィルタ減衰率を０にまでしかできないため、ｆ１およびｆ２におけるフィルタ減衰率が０以下である場合には上記磁気飽和を回避することができないという問題がある。さらに、ノイズフィルタ２の共振周波数ｆｒが図２の右側にずれると、上述のインバータ装置に関する国際ＥＭＩ規格による１５０ｋＨｚから３０ＭＨｚまでの帯域におけるノイズフィルタのノイズ減衰率が小さくなってしまい、これらの帯域において所定の減衰率が得られないことがあるという問題もある。
【００２１】
更に、コアの磁気飽和しているあるノイズフィルタがあり、これを基準として、コアの磁気飽和を解消するために、コイル巻線数をどの程度増やせばよいかという問題を考えると、この場合のキャリア周波数ｆｃはｆ１≦ｆｃ≦ｆ２であるから、ｆ２−ｆ１に相当する分低い周波数に共振周波数をシフトさせるようにコイル巻線数を増加すれば、確実にコアの磁気飽和は解消される。
したがって、以下では、共振周波数ｆｒをｆ２−ｆ１に相当する分だけ低い周波数にシフトさせるために必要なコイル巻線数Ｎの倍率ｎを求めることとする。
【００２２】
ここでコモンモードコイル３のコアが飽和する下限周波数ｆ１の位置にあってコモンモードコイル３のコアが飽和しているときに、巻線数をどの程度増やせば上記飽和を回避できるかについて検討する。
（周波数）＝ｆ１にてちょうど飽和磁束密度に達したとすると、
Ｂｓ＝ＬＩ２／（ＳＮ）　　　（３）
である。ただし、Ｌはコモンモードコイル３のインダクタンス、Ｓはコモンモードコイル３のコア断面積、Ｎはコモンモードコイル３の巻線数、Ｂｓはコモンモードコイル３のコアの飽和磁束密度、Ｉ２はＢｓに対応するノイズフィルタ２の出力ノイズ電流である。
ここで、ノイズフィルタ２の入力ノイズ電流をＩ１とすると、ノイズフィルタ２のノイズ減衰率は、
Ｉ２／Ｉ１＝Ｇ（ω１）　　　（４）
となる。ただし、ω１は角周波数であり、ω１＝２πｆ１である。
ここで、Ｇ（ω１）は、
【００２３】
【数１】
2004032938.tif 000003
【００２４】
となり（ただし、Ｒはノイズ（及びその減衰率）を測定する時の計測器の入力インピーダンスであり、通常、５０Ωである。）、この式（５）と式（４）を使うと式（３）は
【００２５】
【数２】
2004032938.tif 000004
【００２６】
となる。
ここで、巻線数を増やすことによりインダクタンスＬをｎ倍すなわち、
Ｌ→ｎＬ（つまりＮ→ｎ１／２Ｎ）
としたとき（つまり、巻線数はｎ１／２倍になる。）、飽和が回避出来るための条件は、
Ｂｓ＞ｎＬＩ２／（Ｓｎ１／２Ｎ）
であるから、これに式（５）を用いると、Ｌ→ｎＬ、Ｎ→ｎ１／２・Ｎと置き換えることにより、
【００２７】
【数３】
2004032938.tif 000005
【００２８】
となる。これを式（６）を用いて、ｎについて解くと
【００２９】
【数４】
2004032938.tif 000006
【００３０】
通常、ｆ１は共振周波数ｆｒからそれほど大きく離れた値ではないため、１０ｋＨｚ程度、Ｌは数ｍＨ、Ｃは数ｎＦ、Ｒは５０Ωとなることから、
（ω１Ｌ）２，１／ω１Ｃ）≫Ｒ２
となり、また、
ｆ１＜１／（２π・（ＬＣ）１／２）（＝ｆｒ）
と仮定した（インバータ装置のキャリア周波数ｆｃはノイズフィルタの共振周波数ｆｒより小さいと仮定した）上で式（８）を解くと
ｎ＜１　　　　　　　　　　　　（９）
ｎ＞（１／ω１２ＬＣ）２　　　　（１０）
となる。
【００３１】
ここで、ｎ＜１の場合はすでに述べた理由により採用し得ない。
したがって、インバータ装置６のキャリア周波数ｆｃがコモンモードコイル３のコアが飽和する周波数ｆ１〜ｆ２の範囲にあって（ｆ１≦ｆｃ≦ｆ２）共振によりノイズ電流が増幅され、コモンモードコイル３のコアが磁気飽和しているときに、磁気飽和したものを回避するためには、Ｌ値としては、（１／（ω１２ＬＣ））２　倍以上、巻線数Ｎとしては、１／（ω１２ＬＣ）倍以上必要であることが分かる。
なお、ここでω１はｆ１に対応する角周波数であるが、ｆ１は共振周波数ｆｒからそれほど大きく離れた値ではないため、実用上は共振周波数ｆｒに対応する角周波数ωｒで代用する。
したがって、実用的には巻線数Ｎを、１／（ωｒ２ＬＣ）倍以上、すなわち１／（４π２ｆｒ２ＬＣ）倍以上とすることにより上記磁気飽和を解消することができる。
【００３２】
なお、Ｌ値を（１／（ω１２・Ｌ・Ｃ））２　以上とするためには、
▲１▼コア材料の磁気抵抗Ｒｍを（ω１２ＬＣ）２倍以下と小さくする、
▲２▼Ｃ値を１／（ω１２ＬＣ）倍以上と大きくする
▲３▼巻線数Ｎを１／（ω１２ＬＣ）倍以上と増加する、
▲４▼コモンモードコイル３を複数段とする。
ことが考えられる。
▲１▼磁気抵抗Ｒｍを小さくする方法として、コモンモードコイル３のコアの断面積を大きくするという方法がある。ただし、コアが大型となり、ノイズフィルタ２の大型化、高価格化を引き起こすという問題がある。
また、▲２▼Ｃ値をやたらに大きくすると、大地に対して漏洩電流を多く流すことなり、他の機器の誤動作を引き起こすことになりかねない。規格の方でも漏洩電流の限度値が決められており、Ｃ値には限界がある。規格をぎりぎり満足するＣ値ではなく、余裕を持った値とするのが一般的である。
また、▲４▼同じコモンモードコイル３を２段とすることにより、Ｌ値は２倍となるが、ノイズフィルタの大型化、高価格化を引き起こす。
したがって、▲３▼巻線数Ｎを増やすのが最も好ましい。
【００３３】
これにより、ノイズフィルタ２を構成するコモンモードコイル３のコアを多段化したり、コア断面積を大きくしたり、飽和磁束密度のより高いコア材料を使用したりしなくてもコモンモードコイル３のコアの磁束密度飽和を防止でき、大きなノイズ減衰率が実現できる。
【００３４】
実施の形態２．
図３は本発明の実施の形態２によるインバータ装置用ノイズフィルタを説明するための図であり、より具体的には、インバータ装置のキャリア周波数とノイズフィルタの共振周波数とが重なった場合のノイズフィルタの出力ノイズ電流と使用可能なコモンモードコイル３コア材料との関係を説明する説明図である。インバータ装置のキャリア周波数とノイズフィルタの共振周波数と重なった場合、以下で詳細に説明するように、ノイズフィルタの出力ノイズ電流が０．２×（ＳＮ／Ｌ）以上の領域では、フェライト系材料からなるコモンモードコイル３のコアでは磁気飽和してしまう。このようなインバータ装置において、上記実施の形態１で説明したように、ノイズフィルタの共振点をインバータのキャリア周波数より低周波側に位置させることにより、コモンモードコイル３のコアとしてフェライト系材料の使用が可能となる。
【００３５】
以下、インバータ装置のキャリア周波数とノイズフィルタの共振周波数と重なった場合、フェライト系材料からなるコモンモードコイル３のコアでは磁気飽和してしまうノイズフィルタの出力ノイズ電流の領域について説明する。
コモンモードコイル３のコアに発生する磁束密度はコモンモード電流からのものとディファレンシャルモード電流（商用電流）からのものがある。コモンモードコイル３のコアの巻線はコモンモードで巻かれており、コモンモード電流に対して大きなインダクタンスを発生する。しかし、コア内に発生する磁束も一部は外部に漏れ、これが漏れインダクタンスとして商用電流に対して働く。発生磁束密度はＢ＝ＬＩ／（ＳＮ）で与えられ、コモンモードからはＬは大きいがＩは小さい、商用電流からはＬは小さいがＩは大きい、という関係となっており、これら２つを足し合わせることでトータルの発生磁束を見積もれる。
【００３６】
例えば３．７ｋＷ出力のインバータ装置では商用電流として数十Ａ程度流れることがあり、ここからコモンモードコイル３のコアに発生する磁束を見積もると０．１〜０．２（Ｔ）程度発生することもある。つまりコモンモード電流から発生する磁束密度としては０．４−０．２＝０．２（Ｔ）が限度値となる（ここで０．４はフェライト系材料からなるコアの飽和磁束密度）。
【００３７】
したがって、本実施の形態では、コモンモードコイル３の巻き数（巻線数）を変えたことにより、ノイズフィルタの出力ノイズ電流が０．２×（ＳＮ／Ｌ）を超える領域が存在し、フェライト系材料からなるコモンモードコイル３のコアでは磁気飽和するような構成を持つインバータ装置用ノイズフィルタに関し、磁気飽和を引き起こす状態（巻き数）から、コモンモードコイル３の巻き数を増やすことにより、磁気飽和を回避し、フェライト系材料からなるコモンモードコイル３のコアを使用したので、ノイズ減衰率を落とすことなく、安価なフェライト系材料からなるコモンモードコイル３のコアを用いてノイズフィルタを構成することができる。
【００３８】
【発明の効果】
以上のように、本発明によれば、インバータ装置と系統電源との間に設置されるインバータ装置用ノイズフィルタであって、前記ノイズフィルタの共振周波数が前記インバータ装置のキャリア周波数の近傍にあると前記ノイズフィルタに入力されるノイズ電流が共振により増幅されることにより、前記ノイズフィルタを構成しているコモンモードコイルのコアが磁気飽和するノイズ電流を発生するインバータ装置に用いられるものにおいて、前記コモンモードコイルの巻線数を増やすことにより前記ノイズフィルタの共振周波数が前記インバータ装置のキャリア周波数より低周波側に位置するように構成したので、ノイズフィルタを構成するコモンモードコイルのコアを多段化したり、コア断面積を大きくしたり、飽和磁束密度のより高いコアを使用したりしなくてもコモンモードコイルのコアの磁気飽和を防止でき、大きなノイズ減衰率が実現できる。
【００３９】
また、前記コモンモードコイルのコアが磁気飽和した状態におけるノイズフィルタの共振周波数をｆｒ、コモンモードコイルのインダクタンスをＬ、ノイズフィルタを構成する対地間コンデンサの容量をＣとしたとき、コモンモードコイルの巻線数Ｎを１／（４π２ｆｒ２ＬＣ）倍以上に増やすので、コモンモードコイルの巻線数に対し、磁気飽和を引き起こすノイズフィルタ設計での禁止領域を規定でき、どの程度巻線数を増やせば、飽和を回避できるかの指標を得ることができる。
【００４０】
また、コモンモードコイルのコア断面積をＳ、コモンモードコイルの巻線数をＮ、コモンモードコイルのインダクタンスをＬとしたとき、ノイズフィルタの出力ノイズ電流が０．２×（ＳＮ／Ｌ）以上の領域で、コモンモードコイルのコアとしてフェライト系材料からなるコアを使用したので、ノイズ減衰率を落とすことなく、コモンモードコイルのコアとして安価なフェライト系材料を用いてノイズフィルタを構成することができる。
【図面の簡単な説明】
【図１】本発明の実施の形態１によるインバータ装置用ノイズフィルタを説明するための図である。
【図２】本発明の実施の形態１によるインバータ装置用ノイズフィルタを説明するための図である。
【図３】本発明の実施の形態２によるインバータ装置用ノイズフィルタを説明するための図である。
【符号の説明】
１　系統電源、２　ノイズフィルタ、３　コモンモードコイル、４　相間コンデンサ、５　対地間コンデンサ、６　インバータ装置、７　交流電動機、８　交流電動機７の対地間浮遊容量。
【図１】
2004032938.tif 000007
【図２】
2004032938.tif 000008
【図３】
2004032938.tif 000009